(57)【要約】【課題】表装の意匠が簡単に変えられ、しかも新しい防犯装置の取り付けも簡単に行うことができるドアを簡単な構成によって提供すること。【解決手段】内部の骨組みとなり、外周にパネル取付枠１２を一体的に設けたドア本体１０と、このドア本体１０に取り付けられる外側表装パネル２０及び内側表装パネル３０とにより構成したドア１００であって、両表装パネル２０・３０の少なくとも外側表装パネル２０の外周に、ドア本体１０側のパネル取付枠１２を包み込んだ状態で外嵌合される嵌合部２２を一体的に形成して、少なくとも外側表装パネル２０が、ドア本体１０に対して交換可能となっていること。【選択図】図１
2005290762.tif 000002
【特許請求の範囲】
【請求項１】
内部の骨組みとなり、外周にパネル取付枠を一体的に設けたドア本体と、このドア本体に取り付けられる外側表装パネル及び内側表装パネルとにより構成したドアであって、
前記両表装パネルの少なくとも外側表装パネルの外周に、前記ドア本体側のパネル取付枠を包み込んだ状態で外嵌合される嵌合部を一体的に形成して、
少なくとも前記外側表装パネルが、前記ドア本体に対して交換可能となっていることを特徴とするドア。
【請求項２】
前記ドア本体を、板状部と、この板状部の外周からこれと直交した状態で立ち上がる立上縁とにより構成して、この立上縁を前記パネル取付枠としたことを特徴とする請求項１に記載のドア。
【発明の詳細な説明】
【技術分野】
【０００１】
本発明は、ドアに関し、特に、ドア枠に取り付けた後においても、その表装材を自由に変えられるようにしたドアに関するものである。
【背景技術】
【０００２】
ドアは、人の出入りの際に使用されるものであるから、非常に目立つものであり、しかも防犯上の機能も備えていなければならないものでもある。このようなドアとして、特に、防犯上からの種々な工夫が凝らされたものとしては、例えば特許文献１に示されたようなものがある。
【０００３】
この特許文献１には、「防犯上好ましいと共に、扉の外観が見栄え良いドアを提供すること」を目的として、図７にも示すような、「ドア枠に扉を開閉自在に取付けたドアであって、前記扉は、扉本体の室外側面に化粧材をほぼ全面に取付けた形態で、前記化粧材の見付け方向一側部が扉本体の一方の外面よりも側方に突出し、前記ドア枠の扉受け用縦材の室外側に突出して扉本体の一方の外面と前記扉受け用縦材の内面との隙間を閉塞していることを特徴とするドア」が提案されている。
【０００４】
そして、この特許文献１のドアによれば、「化粧材の見付け方向一側部が側部閉塞部材の役目を果たすので、防犯上好ましい。化粧材は扉本体の室外側面のほぼ全面に取付けられ、かつその見付け方向一側部が側部閉塞部材であるから、扉を室外から見た時に化粧材が見えるだけである。よって、扉の外観の見栄えが良い。」といった機能が発揮されるものと考えられる。
【特許文献１】特開平５−４２５６２号公報、要約、代表図
【発明の開示】
【発明が解決しようとする課題】
【０００５】
しかしながら、この特許文献１のドアは、「化粧材の見付け方向一側部が扉本体の一方の外面よりも側方に突出し、前記ドア枠の扉受け用縦材の室外側に突出して扉本体の一方の外面と前記扉受け用縦材の内面との隙間を閉塞している」ものであるから、ドアの表面を構成している化粧材を交換したいことがあった場合に、この表装材の交換は簡単にはできないものになっていると考えられる。
【０００６】
しかも、この特許文献１に記載されたドアに新しい防犯機能を持たせようとしても、固定化されたものであるため、ドア全体の交換を余儀なくされるものと思われる。
【０００７】
ところで、ドアは人目に付くものであるから、その所有者は当該ドアの意匠が非常に気になり、場合によっては今まで取り付けていたドアの意匠が気に入らなくなる場合もある。また、ドアについて、防犯上非常に効果の高い装置や考え方が、ドア取付後に提案されることもある。
【０００８】
以上のような、ドアの意匠を変えたり、新しい防犯装置を取り付けようとした場合、例えば特許文献１に記載されているドアでは、その全体を変えないと殆ど不可能であるだけでなく、ドアそのものの価格は一般に高価であるため、費用も掛かることになる。また、その作業は、一般消費者が自ら行うことも、殆どできないものになっていることも多い。
【０００９】
そこで、本発明者は、既に取り付けられているドアの殆どはそのまま使用して、表装材のみを変えられるようにし、これにより、表装の意匠が簡単に変えられ、しかも新しい防犯装置の取り付けも簡単に行うことができるようにするにはどうしたらよいか、について種々検討を重ねてきた結果、本発明を完成したのである。
【００１０】
すなわち、本発明の目的とするところは、表装の意匠が簡単に変えられ、しかも新しい防犯装置の取り付けも簡単に行うことができるドアを簡単な構成によって提供することにある。
【課題を解決するための手段】
【００１１】
以上の課題を解決するために、まず、請求項１に係る発明の採った手段は、後述する最良の形態の説明中において使用する符号を付して説明すると、
「内部の骨組みとなり、外周にパネル取付枠１２を一体的に設けたドア本体１０と、このドア本体１０に取り付けられる外側表装パネル２０及び内側表装パネル３０とにより構成したドア１００であって、
両表装パネル２０・３０の少なくとも外側表装パネル２０の外周に、ドア本体１０側のパネル取付枠１２を包み込んだ状態で外嵌合される嵌合部２２を一体的に形成して、
少なくとも外側表装パネル２０が、ドア本体１０に対して交換可能となっていることを特徴とするドア１００」
である。
【００１２】
すなわち、この請求項１に係るドア１００は、内部の骨組みとなるドア本体１０と、このドア本体１０に取り付けられる外側表装パネル２０及び内側表装パネル３０とにより構成したことを基本構成とするものではあるが、少なくとも外側表装パネル２０が、ドア本体１０に対して交換可能となっているものである。
【００１３】
そのため、このドア１００においては、図１に示すように、ドア本体１０の外周にパネル取付枠１２を一体的に設けておくとともに、両表装パネル２０・３０の少なくとも外側表装パネル２０の外周に、ドア本体１０側のパネル取付枠１２を包み込んだ状態で外嵌合される嵌合部２２を一体的に形成したものである。
【００１４】
このドア１００は、ドア本体１０、外側表装パネル２０、及び内側表装パネル３０を以上のように構成しておき、これを図１中の矢印にて示したように、外側表装パネル２０と内側表装パネル３０との間にドア本体１０が来るようにして、ドア本体１０側の板状部１１の外周から両側に立ち上がっているパネル取付枠１２に、外側表装パネル２０の嵌合部２２と内側表装パネル３０の嵌合部３２とを外嵌合することによって一体化されるのである。これにより、ドア本体１０及びこれに取り付けたドアロック装置５０は、外側表装パネル２０と内側表装パネル３０によって完全に包み込まれて表面に現れないことはない。
【００１５】
勿論、外側表装パネル２０及び内側表装パネル３０の、ドア本体１０に対する取付は、ドア本体１０のパネル取付枠１２に対して各嵌合部２２・３２をネジ止めすることによりなされるのであって、このネジ止め部は、当該ドア１００をドア枠１１０内に閉じたときには、外には現れないものであり、防犯上の効果も高くなっている。これとは逆に、当該ドア１００を、例えば図６に示すような半開き状態にしておいて、上記ネジ止めを外せば、外側表装パネル２０及び内側表装パネル３０の、ドア本体１０からの取り外しが行えることは言うまでもない。これらの作業は、所謂素人でも簡単に行え、わざわざ工事者を呼び寄せる必要もないことになる。
【００１６】
また、このドア１００では、その外側表装パネル２０または内側表装パネル３０の意匠が気に入らなくなったとき、上述したような取外・取付を行えば、簡単に交換ができるし、重要な構成部品であるドア本体１０そのものは、新しい外側表装パネル２０等によって覆われてしまうのであるから、そのまま使用すればよく、コスト的にもドア全体を交換することに比較すれば、非常にメリットが高くなっているのである。
【００１７】
そして、このドア１００においては、内部になるドア本体１０にドアロック装置５０を取り付けるのであるから、新しいドアロック装置５０に交換したい場合には、例えば外側表装パネル２０を上述したように取り外せば、その交換作業を簡単に行えるものである。
【００１８】
勿論、このドア１００では、後述する最良形態におけるように、例えば外側表装パネル２０として、部屋側からは外が見えるがそとからは中が見えないハーフミラー２３を取り付けたものを採用したり、ランプ２４を内蔵したりしたものを採用することも自由にできるのであり、消費者のニーズにあったものとして簡単に改装することができるのである。
【００１９】
従って、この請求項１のドア１００は、表装の意匠が簡単に変えられ、しかも新しい防犯装置の取り付けも簡単に行うことができるものとなっているのである。
【００２０】
また、上記課題を解決するために、請求項２に係る発明の摂った手段は、上記請求項１に記載のドア１００について、
「ドア本体１０を、板状部１１と、この板状部１１の外周からこれと直交した状態で立ち上がる立上縁１２ａとにより構成して、この立上縁１２ａをパネル取付枠１２としたこと」
である。
【００２１】
すなわち、この請求項２のドア１００は、その交換されない部品であるドア本体１０を、外側表装パネル２０や内側表装パネル３０を交換し易い構造のものとしたものであり、図４または図５に示すように、このドア本体１０を、板状部１１と、この板状部１１の外周からこれと直交した状態で立ち上がる立上縁１２ａとにより構成したものである。
【００２２】
ドア本体１０としては、ドア１００自体の剛性を確保する重要な部材であり、しかも、外側表装パネル２０及び内側表装パネル３０をしっかりと支持し簡単に固定できるものとする必要があるものであるが、当該請求項２のドア１００では、そのドア本体１０として、一枚の例えば鉄板を切りだして、図４及び図５中の仮想線にて示したように、各立上縁１２ａを板状部１１に対して折り曲げて形成することのできるものを採用したのである。
【００２３】
つまり、このドア本体１０は、その基本部分を、非常に簡単に製造することができるものとなっているのであるが、図４の最良形態では、同じように形成した板状部１１を背中合わせて一体化するようにしたものであり、図５の最良形態では、各立上縁１２ａを折り曲げ形成した一枚の板状部１１に対して、Ｌ型材からなるアングル枠１５を一体化したものである。
【００２４】
従って、この請求項２のドア１００は、上記請求項１のそれと同様な機能を発揮する他、ドア本体１０を、所定の剛性を有して外側表装パネル２０や内側表装パネル３０の取り付けが確実に行え、しかも簡単に製造することができるものとしているのである。
【発明の効果】
【００２５】
以上詳述した通り、本発明においては、
「内部の骨組みとなり、外周にパネル取付枠１２を一体的に設けたドア本体１０と、このドア本体１０に取り付けられる外側表装パネル２０及び内側表装パネル３０とにより構成したドア１００であって、
両表装パネル２０・３０の少なくとも外側表装パネル２０の外周に、ドア本体１０側のパネル取付枠１２を包み込んだ状態で外嵌合される嵌合部２２を一体的に形成して、
少なくとも外側表装パネル２０が、ドア本体１０に対して交換可能となっていること」
にその構成上の主たる特徴があり、これにより、表装の意匠が簡単に変えられ、しかも新しい防犯装置の取り付けも簡単に行うことができるドア１００を簡単な構成によって提供することができるのである。
【発明を実施するための最良の形態】
【００２６】
次に以上のように構成した各発明を、図面に示した最良の形態に係るドア１００について説明すると、図１には、本発明に係るドア１００の分解斜視図が示してある。このドア１００は、内部の骨組みとなり、外周にパネル取付枠１２を一体的に設けたドア本体１０と、このドア本体１０に取り付けられる外側表装パネル２０及び内側表装パネル３０とにより構成したものである。
【００２７】
このドア１００は、図２に示したように、一般的なそれと同様に、玄関等に形成してあるドア枠１１０に対して、例えばヒンジ４０を採用して開閉自在に取り付けられることもあるが、当該ドア１００は、所謂「引き戸」としても適用できるものである。
【００２８】
このドア１００を構成するドア本体１０は、図１及び図４に示したように、板状部１１と、この板状部１１の外周からこれと直交した状態で立ち上がる立上縁１２ａとにより構成して、この立上縁１２ａをパネル取付枠１２として構成されるものである。すなわち、このドア本体１０は、交換しないでもよい部品としたものであり、これにパネル取付枠１２となるべき立上縁１２ａに外側表装パネル２０や内側表装パネル３０を交換し易い構造のものとしたものである。
【００２９】
図４に示した最良形態のドア本体１０は、一枚の例えば鉄板を切りだして、図４及び図５中の仮想線にて示したように、各立上縁１２ａを板状部１１に対して折り曲げて形成したものを二つ用意しておき、これらを背中合わせで一体化したものであり、その基本部分を、非常に簡単に製造することができるものとしたものである。
【００３０】
図５に示した最良形態のドア本体１０では、各立上縁１２ａを折り曲げ形成した一枚の板状部１１に対して、Ｌ型材からなるアングル枠１５を一体化したものであり、このＬ型材は、一つの板状部１１に対して、例えば図３に示したように、ボルト及びナットによって一体的に連結したものである。つまり、この図５に示したドア本体１０においても、そのアングル枠１５や立上縁１２ａを、Ｌ型材や板材を折り曲げることによって形成すればよいから、その基本部分が、非常に簡単に製造することができるものとなっているのである。
【００３１】
また、図５に示したアングル枠１５は、その外側面がアングル縁１２ｂとなるようにしたものであり、このアングル縁１２ｂが図４に示した立上縁１２ａと同様な機能を発揮することになるものである。つまり、このアングル枠１５のアングル縁１２ｂは、外側表装パネル２０または内側表装パネル３０が外嵌合されることになるパネル取付枠１２となるものなのである。
【００３２】
なお、この板状部１１には、図３または図６に示したように、後述する外側表装パネル２０を補強するためにこれに取り付けられた補強材１３を、当該ドア１００の内側からの操作によって取付及び取外しができるように、取り付けられることもある。また、このドア本体１０を構成している板状部１１に対しては、後述する外側表装パネル２０側にハーフミラー２３を取り付けたり、空気や猫、あるいは犬等を通すための開口１４が形成されることもある。
【００３３】
外側表装パネル２０は、外に向かったものであり、玄関の「顔」ともなるものであるから、種々な意匠が凝らされるものでもあるが、その基本構成は、パネル部２１と、このパネル部２１の外周から隙間無く立ち上がる嵌合部２２とを有したことである。この嵌合部２２は、ドア本体１０側のパネル取付枠１２を包み込んだ状態でこれに外嵌合されるものである。つまり、この外側表装パネル２０は、「箱本体に外嵌合される蓋体」のような形状を有したものであり、当該ドア１００を図２に示したようにドア枠１１０内に閉めたときに、外側には全く現れない部分となるものである。
【００３４】
この外側表装パネル２０は、上述した通り、玄関を形成してその家の「顔」ともなるものであるから、種々なものが取り付けられ、種々な装飾が施される。例えば、図１に示した外側表装パネル２０には、ハーフミラー２３が取り付けられるものであり、表面または内部にランプ２４が取付られることもあるものである。勿論、風通しあるいは動物の出入りを可能にするための小さな開口も形成されることがある。
ドア１００の内側になる内側表装パネル３０は、図１に示したように、上記外側表装パネル２０におけるのと同様なパネル部３１と、このパネル部３１の外周から隙間無く立ち上がる嵌合部３２とを有したものである。勿論、この内側表装パネル３０のパネル部３１には、透視部３３や通気孔３４が形成されることもある。
【００３５】
なお、この内側表装パネル３０は、図６に示したように、その一側に内パネルヒンジ３５を取り付けておき、この内パネルヒンジ３５によってドア本体１０に対して開閉自在に連結するようにして実施してもよい。つまり、この内パネルヒンジ３５は、これをドア本体１０側のパネル取付枠１２側に取り付けられるものとしておき、図６中の点線にて示したように、内開きできるものとしてドア本体１０に取り付けるようにしたものである。このようにしておくことにより、当該内側表装パネル３０の交換は行わないが、外側表装パネル２０の交換を行うときの作業が行い易くなるものである。
【００３６】
本最良形態に係る以上のドア１００は、図２、図３あるいは図６に示したように、ヒンジ４０によってドア枠１１０に連結され、ドア枠１１０に対して開閉可能になるようにしたものである。このヒンジ４０の一方は、例えば図３中の示した取付ネジ４１によってドア１００側に取り付けられ、他方は、図６に示したように、ドア枠１１０側に連結されることは言うまでもない。
【００３７】
また、完成されたドア１００内には、図２あるいは図３に示したように、一定の空間が形成される。この空間内には、当然防犯上必要なドアロック装置５０が組み込まれるのであり、その交換作業もこの空間内でなされる。勿論、当該ドア１００は、その少なくとも外側表装パネル２０が交換可能なのであるから、ドアロック装置５０として新しい物を採用したい場合には、外側表装パネル２０を取り外しあるいは交換する際にこの空間を開放状態にしておけば、その作業は簡単にすることができる。
【図面の簡単な説明】
【００３８】
【図１】本発明に係るドアの分解斜視図である。
【図２】同ドアをドア枠内に取り付けたときの横断面図である。
【図３】同ドアの他の実施例に係るものの横断面図である。
【図４】同ドアを構成するドア本体の一実施例を示す分解斜視図である。
【図５】同ドアを構成するドア本体の他の実施例を示す分解斜視図である。
【図６】内側表装パネルとしてドア本体に対して開閉自在とした例を示す横断面図である。
【図７】従来の技術を示す横断面図である。
【符号の説明】
【００３９】
１００    ドア
１１０    ドア枠
１０    ドア本体
１１    板状部
１２    パネル取付枠
１２ａ  立上縁
１２ｂ  アングル縁
１３    補強材
１４    開口
１５    アングル枠
２０    外側表装パネル
２１    パネル部
２２    嵌合部
２３    ハーフミラー
２４    ランプ
３０    内側表装パネル
３１    パネル部
３２    嵌合部
３３    透視部
３４    通気孔
３５    内パネルヒンジ
４０    ヒンジ
４１    取付ネジ
５０    ドアロック装置
【図１】
2005290762.tif 000003
【図２】
2005290762.tif 000004
【図３】
2005290762.tif 000005
【図４】
2005290762.tif 000006
【図５】
2005290762.tif 000007
【図６】
2005290762.tif 000008
【図７】
2005290762.tif 000009